(57)【特許請求の範囲】
【請求項１】
底壁と、この底壁の全周から上方へ立ち上げられた周壁と、この周壁の上端開口部の開口上縁全周から外方へ張り出されたフランジとを有して上方開放状に形成され、前記フランジの上面に、前記上端開口部を塞ぐシート状の蓋が再剥離可能に接着されるようになっている即席食品用容器の容器本体であって、前記周壁の深さ方向中間部の内周に段部が形成され、この段部から上方の前記上端開口部の開口大きさが、該段部から下方部の内径よりも大径に形成されており、前記フランジの周方向一部が、これの上面幅がこれに連続する他の箇所のフランジ上面の幅よりも幅広である幅広フランジに形成されて、この幅広フランジの蓋との接着力が他の箇所の幅狭フランジの蓋との接着力よりも強くなるように構成されており、前記幅狭フランジの内周の開口上縁部に連なる前記段部の幅が、前記幅広フランジの内周の開口上縁部に連なる前記段部の幅よりも広く形成されていることを特徴とする即席食品用容器の容器本体。
【発明の詳細な説明】
【０００１】
【発明の属する技術分野】
本発明は、焼きそばや即席ラーメンなど即席食品を収容する容器の容器本体に関する。
【０００２】
【従来の技術】
この種即席食品用容器は即席食品が収容される容器本体の開口上縁全周からフランジを外向きに張り出しており、そのフランジの上面の全周にわたってシート状の蓋を熱融着により再剥離可能に接着して容器本体の上端開口部を密封状に塞いでいる。
【０００３】
【発明が解決しようとする課題】
しかるに、容器本体のフランジと蓋の内面との接着面の幅はその全周にわたって同一であるため、蓋のフランジとの接着力はその全周にわたって同じ強さになっている。そのため、食前の調理時に即席食品を解すための熱湯の注ぎ口を開口するに際し、蓋の一部をつまんで引き剥がすが、このとき蓋を剥がし過ぎて必要以上に大きく開けることがある。このように蓋を開け過ぎた場合は、湯を注ぎ入れた後、即席食品が解されるまでの間、一時的に蓋を閉じておくとき、十分に塞ぐことができなくなるという問題があった。また、即席食品が焼きそばである場合、焼きそばを解した後に湯を排出するための湯切り口が容器本体に設けられており、湯切りに際し湯切り口を覆っている蓋の一部を引き剥がすが、このときも剥がし過ぎることがあり、これにより解された焼きそばが湯切り口から湯と一緒に流れ出るという問題があった。
【０００４】
本発明の目的は、このような問題を解決するためになされたものであり、容器本体のフランジに接着した蓋を剥がす際、蓋の開き過ぎを防止できる即席食品用容器の容器本体を提供することにある。
【０００５】
【課題を解決するための手段】
本発明の請求項１に係る発明は、底壁と、この底壁の全周から上方へ立ち上げられた周壁と、この周壁の上端開口部の開口上縁全周から外方へ張り出されたフランジとを有して上方開放状に形成され、前記フランジの上面に、前記上端開口部を塞ぐシート状の蓋が再剥離可能に接着されるようになっている即席食品用容器の容器本体であって、前記周壁の深さ方向中間部の内周に段部が形成され、この段部から上方の前記上端開口部の開口大きさが、該段部から下方部の内径よりも大径に形成されており、前記フランジの周方向一部が、これの上面幅がこれに連続する他の箇所のフランジ上面の幅よりも幅広である幅広フランジに形成されて、この幅広フランジの蓋との接着力が他の箇所の幅狭フランジの蓋との接着力よりも強くなるように構成されており、前記幅狭フランジの内周の開口上縁部に連なる前記段部の幅が、前記幅広フランジの内周の開口上縁部に連なる前記段部の幅よりも広く形成されていることに特徴を有するものである。
【０００６】
【０００７】
【０００８】
【０００９】
【００１０】
【作用】
請求項１記載の即席食品用容器の容器本体によれば、容器本体のフランジに対する蓋の接着力を、幅広フランジの領域では強くし、幅狭フランジの領域では弱くしているので、湯注ぎまたは湯切りに際し、蓋を幅狭フランジから引き剥がしていくと、容易に剥がすことができるが、幅広フランジの領域にかかると蓋との接着力が強くなっているので、それまでの引き剥がし力では剥がすことができないため、当該幅狭フランジの領域を越えて蓋を開けることが抑止される。これにより湯注ぎまたは湯切りに必要な開口範囲での蓋の開きを確実に行うことができて開き過ぎを防止できる。
【００１１】
さらに、幅狭フランジの内周の開口上縁部に連なる段部の幅は、幅広フランジの内周の開口上縁部に連なる段部の幅よりも広く形成してあるので、この幅広の段部により幅狭フランジ及びこの内周の開口上縁部分の機械的強度が高められ、蓋を引き剥がすときに幅狭フランジの領域部分に作用する力に十分対抗することができて幅狭フランジの領域部分が変形するのを防止できるため、その変形に伴う剥がし難さがなくなり、容易に剥がすことができる。
【００１２】
【発明の実施の形態】
本発明の好適な実施形態を図面に基づき説明する。図１は即席食品用容器の容器本体の平面図、図２は図１におけるＡ−Ａ線断面図、図３は図１におけるＢ−Ｂ線断面図、図４は図１におけるＣ−Ｃ線断面図、図５は図１におけるＤ−Ｄ線断面図である。
【００１３】
本発明に係る即席食品用容器は、図１ないし図３に示すように、上方開放状の容器本体１とシート状の蓋２とからなる。容器本体１は、発泡ポリスチレン等の発泡樹脂材もしくは非発泡樹脂材、または紙材等を成形したもので、図示例の実施態様では平面長方形の椀状に成形してある。図示例の容器本体１は、長方形の底壁３と、この底壁３の全周から上方へ拡開状に立ち上げた周壁５とを有する平面長方形の椀状に成形している。周壁５の深さ方向中間部の内周には段部７をつけており、この段部７から上方の上端開口部の大きさは、即席食品１７をはめ込み易くするために段部７から下方部の内径よりも大径に形成している。容器本体１の周壁５の開口上縁５ａの全周からフランジ６を外方へ一体に張出し形成している。フランジ６の外周縁６０は下向きに屈曲した形に形成される。
【００１４】
そして、フランジ６の４辺のうち、隣り合う２つの辺は上面の幅が広い幅広フランジ６ａ，６ａに形成しているのに対し、他の隣り合う２つ辺は、その過半部の上面の幅が前記幅広フランジ６ａの上面幅よりも狭い幅狭フランジ６ｂ，６ｂに形成し、その他の隣り合う２つ辺の余部は前記幅広フランジ６ａに連続する幅広フランジ６ａに形成している。例えば、幅広フランジ６ａの幅は約１４mm、幅狭フランジ６ｂの幅は約１０mmとする。その幅狭フランジ６ｂは、蓋２との協働作用で湯注ぎ口の開口形成に役立つところである。
【００１５】
図１に示すように、幅広フランジ６ａの外周縁６１ａと幅狭フランジ６ｂの外周縁６１ｂとは同一線上に揃うよう形成しているが、幅広フランジ６ａの内周の開口上縁部６２ａは幅狭フランジ６ｂの内周の開口上縁部６２ｂよりも内方へはみ出して、これら開口上縁部６２ａと開口上縁部６２ｂとは段状部６２ｃを介して連続させている。幅広フランジ６ａの内周の開口上縁部６２ａに連なる段部７ａは、該開口上縁部６２ａが内方へはみ出す分だけ狭い狭幅段部に形成され、幅狭フランジ６ｂの内周の開口上縁部６２ｂに連なる段部７ｂは狭幅段部７ａよりも幅広に形成される。
【００１６】
フランジ６の２辺の幅広フランジ６ａ，６ａの交わるコーナ部は前記開口上縁５ａから外方へ張り出してあるもので、そのコーナ部は幅狭フランジ６ｂに形成し、この幅狭フランジ６ｂの内側に湯切り部８が形成される。図１、図２、図５に示すように、湯切り部８は、幅広フランジ６ａ及び幅狭フランジ６ｂの上面と同じ高さの山部９と、この山部９の両側に位置する湯切り溝１０，１０と有しており、湯切り溝１０，１０は幅広フランジ６ａ及び幅狭フランジ６ｂの上面よりも低く形成されている。その湯切り溝１０の内端部は容器本体１の内部と連通するよう形成され、外端部は幅狭フランジ６ｂの上面の内側で塞ぎ止められる形に形成されて蓋２により密封接着されるようにしてある。なお、この湯切り部８の内側では前記段部７が消失状態にある。
【００１７】
一方、蓋２は、図２に示すように、紙製または合成樹脂製の基材１３の表面に印刷層１４を形成し、基材１３の裏面にアルミニウム箔あるいはシリカ蒸着等の防水層１５、ヒートシール性樹脂層１６を順次積層してなる可撓性を有する積層シートを、容器本体１の上端開口部を塞ぐ大きさの四角形のシート状に形成してなる。
【００１８】
上記のように構成された容器本体１には、即席食品１７として、例えば焼きそばが収容され、この即席食品１７の上には袋入り焼きそばソース、袋入りふりかけ１８などが別添される。しかる後、蓋２が容器本体１のフランジ６の上面全周に水平に載せられ、加熱プレスで蓋２のフランジ上方に対応する箇所がフランジ６に対し加熱加圧される。これにより蓋２はヒートシール性樹脂層１６を介してフランジ６の上面全周にわたって再剥離可能に熱融着され、容器本体１の上方開口部が密封状に塞がれる。
【００１９】
蓋２の熱融着に際しては、加熱プレスは蓋２の上面の外周領域全周を均等圧でその上方から加圧するので、幅広フランジ６ａの上面ではその幅が広くて接着面積が広くなっている分だけ幅狭フランジ６ｂの上面よりも強く接着され、当該幅広フランジ６ａでの接着強度と、幅狭フランジ６ｂでの接着強度とでは接着強度差が生じ、前者の幅広フランジ６ａでは強く接着し、後者の幅狭フランジ６ｂではそれよりも接着力が弱くなる。
【００２０】
したがって、食前の調理時に即席食品１７を解すための熱湯を容器本体１の内部に注ぎ入れるに先立って、幅狭フランジ６ｂの上方に対応する蓋２の外周縁一部をつまみこれを開始点として引き剥がすことにより湯注ぎ口が開口されるが、このとき、幅広フランジ６ａで蓋２との接着力が強くなっているので、当該幅広フランジ６ａ上で蓋２を引き剥がすためにはそれまでの引き剥がし力よりも強い力が必要となる。このため、蓋２は幅狭フランジ６ｂと幅広フランジ６ａとの境界部を越えてまで開けることが抑止され、必要以上に過大に開けることを防止できる。
【００２１】
また、幅狭フランジ６ｂの下方の段部７ｂは幅広に形成する断面形状を呈することにより幅狭フランジ６ｂ及び開口上縁部６２ｂの機械的強度を増強することができるため、蓋２を幅狭フランジ６ｂから引き剥がすときに加えられる強い引張り力で幅狭フランジ６ｂが変形するようなことがなくなり、これにより蓋２を幅狭フランジ６ｂから容易に引き剥がすことができる。
【００２２】
このように開口された湯注ぎ口からは袋入り焼きそばソースや袋入りふりかけ１８などを取り出し、しかる後熱湯が注ぎ入れられる。熱湯の注入後、即席食品１７が解されるまでの間は湯注ぎ口が一時的に蓋２で閉じられるが、このとき、蓋２は開き過ぎることなく所定開口量だけ開かれているので、湯注ぎ口を容易にかつ十分に閉塞することができる。
【００２３】
即席食品１７を解した後は、湯切り部８の上方に対応する蓋２の外周縁一部をつまんで引き剥がすことにより湯切り部８を開口するが、このときも、蓋２は幅狭フランジ６ｂから引き剥がし易く、幅広フランジ６ａ，６ａで蓋２との接着力が強くなっているので、当該幅狭フランジ６ｂと幅広フランジ６ａとの境界部を越えて開くようことはなく、湯切り溝１０の外端部を開放するとともに内端部上方を覆う所定開口量だけ開くことができる。したがって、この湯切り時に解された即席食品１７が湯切り溝１０から湯と共に流れ出るのを防止できる。
【００２４】
容器本体１は平面長方形に成形されるものに限定されず、平面正方形あるいはその他の多角形に形成されるもの、または図６に示すごとき円形や、楕円形に形成されるものにも同様に適用できる。上記実施例では即席食品が焼きそばのように湯切りを必要とするものである場合について説明したが、湯切りを不要とする即席食品の場合は容器本体１に湯切り部８を設ける必要がないことは言うまでもない。蓋２の接着手段としては、上記実施例の熱融着に代えて、食品安全性を有する接着剤を用いて接着することもできる。
【００２５】
【発明の効果】
本発明によれば、容器本体の幅広フランジでの蓋に対する接着力を、幅狭フランジでの接着力よりも強くしてあるので、湯注ぎや湯切りに際し蓋を開き過ぎることなく所定開口量だけ開けることができるという利点がある。
【図面の簡単な説明】
【図１】即席食品用容器の容器本体の平面図である。
【図２】図１におけるＡ−Ａ線断面図である。
【図３】図１におけるＢ−Ｂ線断面図である。
【図４】図１におけるＣ−Ｃ線断面図である。
【図５】図１におけるＤ−Ｄ線断面図である。
【図６】他の実施例を図１に相応して示す平面図である。
【符号の説明】
１ 容器本体
２ 蓋
３ 底壁
５ 周壁
５ａ 開口上縁
６ フランジ
６ａ 幅広フランジ
６ｂ 幅狭フランジ
６２ａ，６２ｂ 開口上縁部
７ 段部
７ａ 幅狭段部
７ｂ 幅広段部
【図１】
0004774182.tif 000002
【図２】
0004774182.tif 000003
【図３】
0004774182.tif 000004
【図４】
0004774182.tif 000005
【図５】
0004774182.tif 000006
【図６】
0004774182.tif 000007